(57)【要約】【課題】煩雑な準備作業を行うことなく訪問者の入室管理が可能な入室管理システムを提供すること。【解決手段】入室管理システム１は、複数の部屋３それぞれに対して所定の入室許可基準を設定する入室許可基準設定部１１１と、訪問者の名刺に対して、プリンタ２０による識別ＩＤの印刷を制御する識別情報印刷制御部１１２と、バーコードリーダ３０より送信された識別ＩＤ及び部屋ＩＤを受信して、入室許可基準ＤＢ１２１に記憶された入室許可基準に基づいて複数の部屋３それぞれへの入室の許否を決定する１１３とを有する入室管理サーバ１０と、訪問者の名刺にバーコード化された識別ＩＤを印刷するプリンタ２０と、それぞれの部屋３の入口に配置されており、名刺に印刷されたバーコードを読み取り、バーコードを識別ＩＤに変換するバーコードリーダ３０と、入室制御部１１３により解錠信号を受信すると解錠する電子錠４０と、を備える。【選択図】図１
2010185207.tif 000002
【特許請求の範囲】
【請求項１】
複数の部屋を有する施設に入館した訪問者の該複数の部屋への入室を管理する入室管理システムであって、
前記訪問者の個人情報が表示された紙葉に識別情報を付与する識別情報付与部と、
前記複数の部屋それぞれに対して所定の入室許可基準を設定する入室許可基準設定部と、
前記識別情報と前記入室許可基準とを関連付けて記憶する記憶部と、
前記複数の部屋それぞれの入口に配置され、前記紙葉に付与された前記識別情報を読み取る識別情報読取部と、
前記識別情報読取部により読み取られた前記識別情報に関連付けられて前記記憶部に記憶された前記入室許可基準に基づいて前記複数の部屋それぞれへの入室の許否を決定する入室制御部と、を備える入室管理システム。
【請求項２】
前記記憶部は、前記紙葉に表示された前記訪問者の個人情報と該紙葉に付与された識別情報とを関連付けて記憶すると共に、前記訪問者の前記複数の部屋への入室の履歴を記憶する請求項１記載の入室管理システム。
【請求項３】
前記識別情報付与部は、前記紙葉に対してバーコード化された識別情報を付与し、
前記識別情報読取部は、前記バーコード化された識別情報を読み取ることを特徴とする請求項１又は２に記載の入室管理システム。
【請求項４】
前記識別情報付与部は、前記紙葉に対して肉眼で視認できない不可視インクにより前記識別情報を付与し、
前記識別情報読取部は、前記不可視インクにより付与された前記識別情報を読み取ることを特徴とする請求項１から３のいずれかに記載の入室管理システム。
【発明の詳細な説明】
【技術分野】
【０００１】
本発明は、施設に入館した訪問者の、施設内の複数の部屋への入室を管理する入室管理システムに関する。
【背景技術】
【０００２】
従来より、訪問者の名刺といった紙葉の情報を読み取り、読み取った情報に基づいて訪問者の認証を行う訪問者認証システムが提案されている（例えば、特許文献１）。特許文献１で提案された訪問者認証システムは、訪問者の訪問予定情報を記憶する訪問者情報データベースと、印刷文字情報を読み取る光学文字認識装置とを備えている。そして、訪問者認証システムは、光学文字認識装置により訪問者の名刺の文字情報を読み取ると、読み取った情報に対応した訪問予定情報が訪問者情報データベースに登録されているか否かの認証を行う。
【先行技術文献】
【特許文献】
【０００３】
【特許文献１】特開２００７−８７３３４号公報
【発明の概要】
【発明が解決しようとする課題】
【０００４】
しかしながら、特許文献１で提案された訪問者認証システムは、訪問者の名刺といった紙葉の情報を読み取り、読み取った情報に対応した訪問予定情報が訪問者情報データベースに登録されているか否かの認証を行うに過ぎない。
【０００５】
一方、訪問者の入退室管理を行う方法として、訪問者の個人情報が表示されたＩＤカードを発行して訪問者に渡す方法や、予め臨時のＩＤカードを準備し、訪問者に対して臨時のＩＤカードを貸与する方法が知られている。
【０００６】
しかしながら、訪問者の個人情報が表示されたＩＤカードを発行して訪問者に渡す方法は、ＩＤカードに訪問者の個人情報を表示させるために、訪問者の個人情報を取得したり、訪問者の個人情報を印刷したりするための準備作業が必要となり、発行作業が煩雑となる。また、予め準備した臨時のＩＤカードを訪問者に貸与する方法は、当該臨時のＩＤカードに対して訪問者の個人情報が表示されておらず、訪問者の身元の確認が困難となり得る。更に、予め準備した臨時のＩＤカードを訪問者に貸与する方法は、訪問者の人数を予め推定して臨時のＩＤカードを発行する必要があり、発行作業が煩雑となり得る。
【０００７】
本発明は、煩雑な準備作業を行うことなく訪問者の入室管理が可能な入室管理システムを提供することを目的とする。
【課題を解決するための手段】
【０００８】
本発明は、複数の部屋を有する施設に入館した訪問者の該複数の部屋への入室を管理する入室管理システムであって、前記訪問者の個人情報が表示された紙葉に識別情報を付与する識別情報付与部と、前記複数の部屋それぞれに対して所定の入室許可基準を設定する入室許可基準設定部と、前記識別情報と前記入室許可基準とを関連付けて記憶する記憶部と、前記複数の部屋それぞれの入口に配置され、前記紙葉に付与された前記識別情報を読み取る識別情報読取部と、前記識別情報読取部により読み取られた前記識別情報に関連付けられて前記記憶部に記憶された前記入室許可基準に基づいて前記複数の部屋それぞれへの入室の許否を決定する入室制御部と、を備える入室管理システムに関する。
【０００９】
この発明によれば、識別情報付与部により、訪問者の個人情報が表示された紙葉に識別情報を付与し、入室許可基準設定部により、複数の部屋それぞれに対して所定の入室許可基準を設定し、記憶部により、識別情報と入室許可基準とを関連付けて記憶する。そして、識別情報読取部により、複数の部屋それぞれの入口に配置され、紙葉に付与された識別情報を読み取り、入室制御部により、識別情報読取部により読み取られた識別情報に関連付けられて記憶部に記憶された入室許可基準に基づいて複数の部屋それぞれへの入室の許否を決定する。
【００１０】
このようにすることで、訪問者の個人情報が表示された紙葉に対して付与された識別情報を用いて、当該識別情報により複数の部屋の入室管理を行える。このため、煩雑な準備作業を行うことなく訪問者の入室管理を行える。
【００１１】
また、前記記憶部は、前記紙葉に表示された前記訪問者の個人情報と該紙葉に付与された識別情報とを関連付けて記憶すると共に、前記訪問者の前記複数の部屋への入室の履歴を記憶することが好ましい。
【００１２】
この発明によれば、記憶部により紙葉に表示された訪問者の個人情報と該紙葉に付与された識別情報とを関連付けて記憶すると共に、訪問者の複数の部屋への入室の履歴を記憶する。このようにすることで、入室管理者は、訪問者の個人情報に対応した入室の履歴を確認できる。
【００１３】
また、前記識別情報付与部は、前記紙葉に対してバーコード化された識別情報を付与し、前記識別情報読取部は、前記バーコード化された識別情報を読み取ることが好ましい。
【００１４】
この発明によれば、バーコード化された識別情報を付与した。このようにすることで、通常の文字情報に比べて機械的に読み取りやすいバーコードを用いて入室管理を行うので、通常の文字情報を用いて入室管理を行う場合と比べて、読み取り誤差が少なく安定した入室管理を行える。
【００１５】
また、前記識別情報付与部は、前記紙葉に対して肉眼で視認できない不可視インクにより前記識別情報を付与し、前記識別情報読取部は、前記不可視インクにより付与された前記識別情報を読み取ることが好ましい。
【００１６】
この発明によれば、不可視インクにより識別情報を付与した。このようにすることで、紙葉に予め表示された訪問者の個人情報と識別情報が重なっている場合でも、識別情報を読み取ることができる。また、入室管理者は、紙葉に識別情報が付与されていても、紙葉に表示された訪問者の個人情報を視認できるので、訪問者の身元を容易に確認できる。
【発明の効果】
【００１７】
本発明によれば、煩雑な準備作業を行うことなく訪問者の入室管理が可能な入室管理システムを提供することができる。
【図面の簡単な説明】
【００１８】
【図１】本実施形態に係る入室管理システム１の全体構成を示す図である。
【図２】本実施形態に係る入室許可基準ＤＢ１２１に備えられているルームセキュリティテーブル１２１ａを示す図である。
【図３】本実施形態に係る入室許可基準ＤＢ１２１に備えられている識別テーブル１２１ｂを示す図である。
【図４】本実施形態に係るバーコードリーダ３０の機能構成を示す図である。
【図５】本実施形態に係る入室管理サーバ１０のハードウェア構成を示す図である。
【図６】本実施形態に係る入室管理システム１において訪問者の名刺にバーコードを印刷するまでの処理の流れを示すフローチャートである。
【図７】本実施形態に係る入室管理システム１において、訪問者の名刺を読み取り電子錠を解錠又は解錠拒否するまでの処理の流れを示すフローチャートである。
【図８】本実施形態に係る入室管理システム１の全体構成の別例を示す図である。
【発明を実施するための形態】
【００１９】
以下、本発明の入室管理システムの好ましい一実施形態について図面を参照しながら説明する。
【００２０】
［システム全体構成］
図１は、本実施形態に係る入室管理システム１の全体構成を示す図である。
【００２１】
入室管理システム１は、複数の部屋３を有する施設に入館した訪問者の該複数の部屋３への入室管理を行うものであり、入室管理者により管理される。入室管理システム１は、入室管理サーバ１０と、識別情報付与部としてのプリンタ２０と、施設の複数の部屋３それぞれに設置された識別情報読取部としてのバーコードリーダ３０と、電子錠４０とを備える。
【００２２】
入室管理サーバ１０と、プリンタ２０と、バーコードリーダ３０と、電子錠４０とは、通信ネットワーク５０を介して接続される。通信ネットワーク５０は、任意の通信ネットワークであってよく、ＬＡＮ（Ｌｏｃａｌ  Ａｒｅａ  Ｎｅｔｗｏｒｋ）又はＷＡＮ（Ｗｉｄｅ  Ａｒｅａ  Ｎｅｔｗｏｒｋ）であってよい。
【００２３】
［機能構成］
入室管理サーバ１０は、表示部１０１と、操作部１０２と、制御部１１０と、記憶部１２０とを備える。
【００２４】
表示部１０１は、入室管理サーバ１０の機能に関する表示を行い、入室管理サーバ１０を操作する者に対して、それぞれの機能により出力された情報を視覚的に表示する。操作部１０２は、入室管理サーバ１０を操作する者からの直接的な入力を受け付ける。
【００２５】
記憶部１２０は、入室管理サーバ１０として機能させるための各種プログラム（図示省略）、本発明の機能を実行するプログラム（図示省略）、及び入室許可基準データベース（以下、データベースをＤＢという）１２１を記憶する。入室許可基準ＤＢ１２１は、入室管理に係るデータとして、ルームセキュリティテーブル１２１ａ及び識別テーブル１２１ｂを備える。
【００２６】
図２は、本実施形態に係る入室許可基準ＤＢ１２１に備えられているルームセキュリティテーブル１２１ａを示す図である。ルームセキュリティテーブル１２１ａは、複数の部屋３それぞれに対する入室許可基準としてのセキュリティレベルを規定するためのテーブルである。セキュリティレベルとは、複数の部屋３それぞれに対する入室許可基準であり、設定値として１、２、３、及び４の４段階が設けられている。すなわち、それぞれの部屋３には、１から４のいずれかのセキュリティレベルが設定されており、設定されたセキュリティレベルが高いほど、入室が制限される。特に、機密情報を取り扱う部屋には、高いセキュリティレベルが設定される。ルームセキュリティテーブル１２１ａは、それぞれの部屋３を一意に特定するための「部屋ＩＤ」フィールドと、部屋名を示す「部屋名」フィールドと、セキュリティレベルを示す「セキュリティレベル」フィールドとが含まれている。ルームセキュリティテーブル１２１ａは、後述の入室許可基準設定部１１１により、複数の部屋３それぞれに対してセキュリティレベルを設定するときにデータが追加又は更新される。また、ルームセキュリティテーブル１２１ａは、後述の入室制御部１１３により、訪問者の入室の拒否を決定するときに参照される。なお、本実施形態では、セキュリティレベルを４段階としたが、これに限らず、３段階や５段階といった複数段階にしてもよい。
【００２７】
図３は、本実施形態に係る入室許可基準ＤＢ１２１に備えられている識別テーブル１２１ｂを示す図である。識別テーブル１２１ｂは、訪問者の名刺等の紙葉に付与される識別情報としての識別ＩＤに対するセキュリティレベルを規定するためのテーブルであり、訪問者を一意に特定するための「識別ＩＤ」フィールドと、セキュリティレベルを示す「セキュリティレベル」フィールドと、識別ＩＤが有効であるか否かを判別するための「有効日」フィールドが含まれている。識別テーブル１２１ｂは、後述の識別情報印刷制御部１１２により、訪問者の名刺に付与するセキュリティレベルが決定されたことに応じて、データが追加される。また、識別テーブル１２１ｂは、後述の入室制御部１１３により、訪問者の入室の許否を決定するときに参照される。
【００２８】
図１に戻り、制御部１１０は、入室管理サーバ１０に係る各機能を統括的に制御する部分であり、本発明に係る各機能として、入室許可基準設定部１１１と、識別情報印刷制御部１１２と、入室制御部１１３とを備える。
【００２９】
入室許可基準設定部１１１は、複数の部屋３それぞれに対して所定の入室許可基準を設定する。より具体的には、入室許可基準設定部１１１は、ルームセキュリティテーブル１２１ａにデータの追加又は更新を行うことにより、複数の部屋３それぞれにセキュリティレベルを設定する。
【００３０】
識別情報印刷制御部１１２は、訪問者の名刺に対する識別ＩＤの印刷を制御する。より具体的には、識別情報印刷制御部１１２は、入室管理者が操作部１０２で所定の操作を行ったことに応じて、表示部１０１に対して訪問者の名刺に付与するセキュリティレベルを決定させるセキュリティレベル決定画面を表示させる。そして、入室管理者が操作部１０２を操作することにより、訪問者の名刺に付与するセキュリティレベルを決定すると、識別情報印刷制御部１１２は、セキュリティレベルに対応する識別ＩＤを生成すると共に、識別テーブル１２１ｂに、識別ＩＤ、識別ＩＤに応じたセキュリティレベル、及び有効日として識別ＩＤを生成した時点の日付を記憶させる。そして、入室管理者が訪問者の名刺をプリンタ２０の印刷可能位置に配置して、操作部１０２で所定の操作を行ったことに応じて、識別情報印刷制御部１１２は、生成された識別ＩＤをバーコード化して印刷させるための印刷命令信号をプリンタ２０に送信する。このようにすることで、通常の文字情報に比べて機械的に読み取りやすいバーコードを用いて入室管理を行えるので、通常の文字情報を用いて入室管理を行う場合と比べて、読み取り誤差が少なく安定した入室管理を行える。
【００３１】
入室制御部１１３は、バーコードリーダ３０より送信された識別ＩＤ及び部屋ＩＤを受信して、入室許可基準ＤＢ１２１に記憶された入室許可基準に基づいて複数の部屋３それぞれへの入室の許否を決定する。より具体的には、入室制御部１１３は、バーコードリーダ３０より送信された識別ＩＤ及び部屋ＩＤを受信する。そして、入室制御部１１３は、識別テーブル１２１ｂを参照して識別ＩＤに応じた有効日を取得し、識別ＩＤが有効であるか否かを判別する。すなわち、識別ＩＤに応じた有効日と、当該識別ＩＤを受信した時点での日付とを比較する。
【００３２】
有効日が当該識別ＩＤを受信した時点での日付と一致しない場合には、識別ＩＤが有効ではないと判別して、部屋ＩＤに応じた部屋３の入室を拒否する信号である拒否信号を電子錠４０に送信する。有効日が当該識別ＩＤを受信した時点での日付と一致する場合には、入室制御部１１３は、識別ＩＤが有効であると判別して、ルームセキュリティテーブル１２１ａ及び識別テーブル１２１ｂを参照して、識別ＩＤに応じたセキュリティレベルと部屋ＩＤに応じたセキュリティレベルとを取得する。そして、識別ＩＤに応じたセキュリティレベルが部屋ＩＤに応じたセキュリティレベルに比べて高い又は同一である場合には、部屋ＩＤに応じた部屋３の入室を許可するものと判別して、部屋ＩＤに応じた部屋３に設置された電子錠４０に解錠信号を送信する。また、識別ＩＤに応じたセキュリティレベルが部屋ＩＤに応じたセキュリティレベルに比べて低い場合には、部屋ＩＤに応じた部屋３の入室を拒否するものと判別して、部屋ＩＤに応じた部屋３に設置された電子錠４０に拒否信号を送信する。
【００３３】
プリンタ２０は、識別情報印刷制御部１１２により送信された印刷命令信号を受信したことに応じて、プリンタ２０の印刷可能位置に配置されている訪問者の名刺にバーコード化された識別ＩＤを印刷する。なお、プリンタ２０は、不可視インク、すなわち、人間の眼では見えない紫外線インクによりバーコードを印刷する。このようにすることで、本実施形態に係る入室管理システム１では、名刺に印刷されたバーコードが人間の眼では確認できないので、入室管理者等の他人が名刺に表示された訪問者の個人情報を視認できる。このため、入室管理者等の他人は、訪問者の名刺を確認することで、身元を容易に特定できる。
【００３４】
バーコードリーダ３０は、それぞれの部屋３の入口に配置される。このバーコードリーダ３０は、名刺に印刷されたバーコードを読み取り、バーコードを識別ＩＤに変換する。そして、識別ＩＤと、バーコードリーダ３０が配置されている部屋３の部屋ＩＤとを入室管理サーバ１０に送信する。図４を用いて、バーコードリーダ３０の動作について、より詳細に説明する。
【００３５】
図４は、本実施形態に係るバーコードリーダ３０の機能構成を示す図である。バーコードリーダ３０は、名刺に印刷されたバーコードを読み取り識別ＩＤに変換する読取部３１０と、識別ＩＤ及び部屋ＩＤを送信する送信部３２０とを備える。読取部３１０は、光学系として、訪問者の名刺に印刷されたバーコードに紫外線光を照射する光源３１１と、光源３１１から照射されて名刺に印刷されたバーコードにより反射された紫外線光を偏向させる反射鏡３１２と、多数のＣＣＤ（Ｃｈａｒｇｅ  Ｃｏｕｐｌｅｄ  Ｄｅｖｉｃｅ）を配列して形成された受光部であって、受光した被写体像を光電変換によりアナログ信号として出力するイメージセンサ３１３と、反射鏡３１２にて偏向された紫外線光を被写体像としてイメージセンサ３１３上に結像させるレンズ３１４と、イメージセンサ３１３より出力されたアナログ信号より識別ＩＤに変換する信号処理部３１５を備える。信号処理部３１５は、イメージセンサ３１３により変換されたアナログ信号を増幅する増幅回路３１５１と、増幅されたアナログ信号を二値のデジタル信号に変換するＡ／Ｄコンバータ３１５２と、二値のデジタル信号を識別ＩＤに変換するコード変換部３１５３とを備える。送信部３２０は、読取部３１０が訪問者の名刺に印刷されたバーコードを読み取ったことに応じて、バーコードから変換された識別ＩＤと、バーコードリーダ３０が設置されている部屋３の部屋ＩＤとを入室管理サーバ１０に送信する。このように、バーコードリーダ３０により不可視バーコードを読み取るようにすることで、本実施形態に係る入室管理システム１では、名刺に予め表示された訪問者の個人情報とバーコードが重なっている場合でも、バーコードリーダ３０によりバーコードを読み取ることができる。
【００３６】
図１に戻り、電子錠４０は、それぞれの部屋３の入口に設置される。この電子錠４０は、入室制御部１１３より送信される信号を受信する信号受信部と、受信した信号が解錠信号であるか否かを判別する判別部と、解錠の拒否を報知するためのランプと、錠とにより構成される。この電子錠４０では、信号受信部により入室制御部１１３からの信号が受信されると、判別部は、受信した信号が解錠信号か否かを判別する。判別部は、受信した信号が解錠信号であると判別した場合には、ランプを点灯させて解錠した旨を報知すると共に電子錠４０を解錠する。また、判別部は、受信した信号が解錠信号ではないと判別した場合には、ランプを点滅させて解錠しなかった旨を報知する。
【００３７】
なお、実施形態に係る入室管理システム１では、識別ＩＤとセキュリティレベルを関連付け、識別ＩＤに応じて入室管理を行うこととしたが、これに限らない。例えば、図８に示すように、入室管理システム１にスキャナ２５を設け、入室管理サーバ１０に履歴管理部１４及び履歴管理ＤＢ１２２を設ける。そして、入室制御部１１３により、複数の部屋３それぞれへの入室の許否を決定するときに、決定した許否情報と、訪問者の個人情報とを関連付けて履歴情報として履歴管理ＤＢ１２２に記憶するようにしてよい。
【００３８】
より具体的には、プリンタ２０による識別ＩＤの印刷時に、訪問者の名刺に表示されている個人情報をスキャナ２５により読み取る。そして、読み取った情報について、履歴管理部１４により文字認識処理を行うことにより個人情報を取得し、履歴管理ＤＢ１２２に当該個人情報及び識別ＩＤを関連付けて記憶する。そして、入室制御部１１３により、複数の部屋３それぞれへの入室の許否を決定するときに、バーコードリーダ３０により読み取った識別ＩＤに基づいて、履歴管理ＤＢ１２２に記憶されている当該識別ＩＤに対応した個人情報を取得する。そして、決定した許否情報と、訪問者の個人情報とを関連付けて履歴情報として履歴管理ＤＢ１２２に記憶する。このようにすることで、入室管理者は、訪問者の個人情報に対応した入室の履歴を確認できる。よって、情報の流出や盗難といった被害に対して事前予防が可能となる。
【００３９】
［入室管理サーバのハードウェア構成］
図５は、本実施形態に係る入室管理サーバ１０のハードウェア構成を示す図である。本発明が実施される入室管理サーバ１０は標準的なものでよく、以下に構成の一例を示す。
【００４０】
入室管理サーバ１０は、バスライン１０００、制御部１１０を構成するＣＰＵ（Ｃｅｎｔｒａｌ  Ｐｒｏｃｅｓｓｉｎｇ  Ｕｎｉｔ）１０１０（マルチプロセッサ構成ではＣＰＵ１０１１等複数のＣＰＵが追加されてもよい）、通信Ｉ／Ｆ（Ｉ／Ｆ：インターフェイス）１０２０、メインメモリ１０３０、ＢＩＯＳ（Ｂａｓｉｃ  Ｉｎｐｕｔ  Ｏｕｔｐｕｔ  Ｓｙｓｔｅｍ）１０４０、Ｉ／Ｏ（Ｉｎｐｕｔ／Ｏｕｔｐｕｔ）コントローラ１０５０、表示装置１０６０、入力装置１０７０、及び記憶装置１０８０を備える。
【００４１】
ＣＰＵ１０１０は、入室管理サーバ１０に係る各種機能を統括的に制御する部分であり、記憶装置１０８０に記憶された各種プログラムを適宜読み出して実行することにより、上述したハードウェアと協働し、本発明に係る各種機能を実現している。通信Ｉ／Ｆ１０２０は、入室管理サーバ１０が、通信ネットワーク５０を介してプリンタ２０やバーコードリーダ３０等と情報を送受信する場合のネットワーク・アダプタである。通信Ｉ／Ｆ１０２０は、モデム、ケーブル・モデム及びイーサネット（登録商標）・アダプタを含んでよい。
【００４２】
メインメモリ１０３０は、ＣＰＵ１０１０により各種プログラムを実行する際に生成されるデータを一時的に記憶する。ＢＩＯＳ１０４０は、入室管理サーバ１０の起動時にＣＰＵ１０１０が実行するブートプログラムや、入室管理サーバ１０のハードウェアに依存するプログラム等を記録する。Ｉ／Ｏコントローラ１０５０は、表示装置１０６０、入力装置１０７０、及び記憶装置１０８０といった機器が接続され、データの入出力制御を行う。表示装置１０６０は、ブラウン管表示装置（ＣＲＴ）、液晶表示装置（ＬＣＤ）等のディスプレイ装置を含み、表示部１０１として機能する。入力装置１０７０は、キーボードやマウス等を含み、入室管理サーバ１０の管理者による入力の受け付けを行う。入力装置１０７０は、操作部１０２として機能する。
【００４３】
記憶装置１０８０は、ハードディスク、光ディスクドライブ、及び半導体メモリ等の記憶装置を接続することができ、記憶部１２０として機能する。記憶装置１０８０は、本ハードウェアを入室管理サーバ１０として機能させるための各種プログラム、本発明の機能を実行するプログラム及び上述のＤＢを記憶する。なお、入室管理サーバ１０は、外部に別途設けられたハードディスク（図示せず）を外部記憶装置として利用することもできる。
【００４４】
なお、本発明でいうコンピュータとは、記憶装置、制御部等を備えた情報処理装置をいい、入室管理サーバ１０は、上述のように、制御部１１０、記憶部１２０等を備えた情報処理装置により構成され、この情報処理装置は、本発明のコンピュータの概念に含まれる。
【００４５】
また、入室管理サーバ１０は、ハードウェアの数に制限はなく、必要に応じて１又は複数のハードウェアで構成してよい。また、複数のハードウェアで構成する場合には、通信ネットワーク５０を介して各ハードウェアを接続してもよい。例えば、機能ごとに別サーバ（装置）とし、各サーバ間での信号の送受信により、各サーバを連携させることで、本実施形態の機能を実現してもよい。
【００４６】
［処理フロー］
図６は、本実施形態に係る入室管理システム１において、訪問者の名刺にバーコードを印刷するまでの処理の流れを示すフローチャートである。
【００４７】
ステップＳ１では、制御部１１０（入室許可基準設定部１１１）は、ルームセキュリティテーブル１２１ａにデータの追加又は更新を行うことにより、複数の部屋３それぞれに対してセキュリティレベルを設定する。ステップＳ２では、制御部１１０（識別情報印刷制御部１１２）は、入室管理者が操作部１０２を操作することにより、訪問者の名刺に付与するセキュリティレベルを決定する。ステップＳ３では、制御部１１０（識別情報印刷制御部１１２）は、ステップＳ２にて訪問者の名刺に付与するセキュリティレベルが決定されると、決定したセキュリティレベルに関連付けられた識別ＩＤを生成し、識別テーブル１２１ｂに、識別ＩＤ、セキュリティレベル、及び有効日を記憶させる。
【００４８】
ステップＳ４では、制御部１１０（識別情報印刷制御部１１２）は、ステップＳ３にて識別ＩＤが生成された後に、入室管理者が訪問者の名刺をプリンタ２０の印刷可能位置に配置し、かつ、操作部１０２で所定の操作を行ったことに応じて、生成された識別ＩＤをバーコード化して印刷させるための印刷命令信号をプリンタ２０に送信する。
【００４９】
ステップＳ５では、プリンタ２０は、ステップＳ４にて送信された印刷命令信号を受信する。ステップＳ６では、プリンタ２０は、ステップＳ５にて印刷命令信号を受信すると、プリンタ２０の印刷可能位置に配置されている訪問者の名刺に、バーコード化された識別ＩＤを不可視インクである紫外線インクにより印刷する。
【００５０】
図７は、本実施形態に係る入室管理システム１において、バーコードが印刷された訪問者の名刺を読み取り、電子錠を解錠又は解錠拒否するまでの処理の流れを示すフローチャートである。
【００５１】
ステップＳ１１では、バーコードリーダ３０（読取部３１０）は、訪問者の名刺に印刷されたバーコードを読み取る。訪問者の名刺に印刷されたバーコードは、眼で確認できない紫外線インクにより印刷されたものであるが、バーコードリーダ３０では、紫外線を当該バーコードに照射して、反射した紫外線を読み取ることで読み取り可能である。
【００５２】
ステップＳ１２では、バーコードリーダ３０（読取部３１０）は、ステップＳ１１にて読み取ったバーコードを識別ＩＤに変換する。ステップＳ１３では、バーコードリーダ３０（送信部３２０）は、識別ＩＤ及びバーコードリーダ３０が配置されている部屋３の部屋ＩＤを入室管理サーバ１０に送信する。ステップＳ１４では、制御部１１０（入室制御部１１３）は、ステップＳ１３にて送信された識別ＩＤ及び部屋ＩＤを受信する。
【００５３】
ステップＳ１５では、制御部１１０（入室制御部１１３）は、ステップＳ１４にて識別ＩＤ及び部屋ＩＤを受信すると、識別テーブル１２１ｂを参照して識別ＩＤに応じた有効日を取得する。そして、制御部１１０（入室制御部１１３）は、識別ＩＤに応じた有効日と識別ＩＤを受信した時点での日付とを比較して、識別ＩＤが有効であるか否かについて判別する。この判別結果がＹＥＳのときは、ステップＳ１６に移り、ＮＯのときは、ステップＳ１８に移る。
【００５４】
ステップＳ１６では、制御部１１０（入室制御部１１３）は、ステップＳ１５にて、識別ＩＤが有効であると判別されると、ステップＳ１４にて受信した識別ＩＤが入室を許可する識別ＩＤであるか否かを判別する。より具体的には、制御部１１０（入室制御部１１３）は、ルームセキュリティテーブル１２１ａ及び識別テーブル１２１ｂを参照して、識別ＩＤに応じたセキュリティレベル及び部屋ＩＤに応じたセキュリティレベルを取得する。そして、識別ＩＤに応じたセキュリティレベルが部屋ＩＤに応じたセキュリティレベルに比べて高い又は同一である場合には、本ステップの判別結果がＹＥＳであるとしてステップＳ１７に移る。また、識別ＩＤに応じたセキュリティレベルが部屋ＩＤに応じたセキュリティレベルに比べて低い場合には、本ステップの判別結果がＮＯであるとしてステップＳ１８に移る。
【００５５】
ステップＳ１７では、制御部１１０（入室制御部１１３）は、ステップＳ１６にて識別ＩＤが入室を許可する識別ＩＤであると判別されると、ステップＳ１４にて受信した部屋ＩＤに応じた電子錠４０に解錠信号を送信する。ステップＳ１８では、制御部１１０（入室制御部１１３）は、ステップＳ１５で識別ＩＤが有効ではないと判別された場合又はステップＳ１６にて識別ＩＤが入室を許可する識別ＩＤではないと判別された場合に実行され、ステップＳ１４にて受信した部屋ＩＤに応じた電子錠４０に拒否信号を送信する。
【００５６】
ステップＳ１９では、電子錠４０（信号受信部）は、ステップＳ１７又はＳ１８にて送信された信号を受信する。ステップＳ２０では、電子錠４０（判別部）は、ステップＳ１９にて受信した信号が解錠信号であるか否かを判別する。この判別結果がＹＥＳのときは、ステップＳ２１に移り、ＮＯのときはステップＳ２２に移る。
【００５７】
ステップＳ２１では、電子錠４０（判別部）は、ステップＳ１９にて解錠信号を受信したと判別されると、ランプを点灯させて解錠した旨を報知すると共に電子錠４０（錠）を解錠する。ステップＳ２２では、電子錠４０（判別部）は、ステップＳ１９にて解錠信号を受信していないと判別されると、ランプを点滅させて解錠しなかった旨を報知する。
【００５８】
このように、本実施形態に係る入室管理システム１では、訪問者の個人情報が表示された名刺に対して印刷された識別ＩＤを用いて、当該識別ＩＤにより複数の部屋３の入室管理を行えるので、煩雑な準備作業を行うことなく訪問者の入室管理を行える。
【００５９】
以上、本発明の実施形態について説明したが、本発明は前記実施形態に限定されるものではなく、本発明の目的を達成できる範囲での変形、改良等は本発明に含まれるものである。
【００６０】
例えば、本実施形態に係る入室管理システム１では、識別ＩＤとセキュリティレベルを関連付け、識別ＩＤに応じて入室管理を行うこととしたが、これに限らない。例えば、セキュリティレベルを用いずに、複数の部屋３それぞれに対して個別に入室の許否を決定できるようにしてもよい。すなわち、入室管理サーバ１０に、識別ＩＤと、複数の部屋３それぞれの入室の許否を関連付けるテーブルを設け、入室管理者が操作部１０２を操作することにより、当該テーブルに識別ＩＤに対する複数の部屋３それぞれの入室許否情報を記憶できるようにしてもよい。このようにすることで、入室管理者は、複数の部屋３それぞれに対する入室許否を柔軟に設定できる。
【００６１】
また、本実施形態に係る入室管理システム１では、プリンタ２０を用いて不可視バーコードを印刷することとしたが、これに限らない。例えば、訪問者の名刺に識別ＩＤの情報を記憶させたＲＦＩＤ（Ｒａｄｉｏ  Ｆｒｅｑｕｅｎｃｙ  Ｉｄｅｎｔｉｆｉｃａｔｉｏｎ）タグを付加するＲＦＩＤタグ付加装置と、複数の部屋３それぞれの入口にＲＦＩＤタグを読み取るＲＦＩＤタグリーダを設けることとしてもよい。そして、複数の部屋３それぞれにおいて、訪問者の名刺に付加されたＲＦＩＤタグを読み取り、入室管理を行うようにしてもよい。
【符号の説明】
【００６２】
１  入室管理システム
１０  入室管理サーバ
２０  プリンタ
３０  バーコードリーダ
４０  電子錠
５０  通信ネットワーク
１０１  表示部
１０２  操作部
１１０  制御部
１１１  入室許可基準設定部
１１２  識別情報印刷制御部
１１３  入室制御部
１２０  記憶部
１２１  入室許可基準ＤＢ
【図１】
2010185207.tif 000003
【図２】
2010185207.tif 000004
【図３】
2010185207.tif 000005
【図４】
2010185207.tif 000006
【図５】
2010185207.tif 000007
【図６】
2010185207.tif 000008
【図７】
2010185207.tif 000009
【図８】
2010185207.tif 000010